(57)【要約】【課題】１つの電源供給部で、分割されたＬＥＤタイルに駆動電圧を印加するために、各ＬＥＤタイルをコネクタで接続し、電源供給部と接続された基板を経由して隣接基板に駆動電圧を印加するバックライトアセンブリに関する。【解決手段】第１基板と、第１基板と隣接して配置される第２基板と、第１基板及び第２基板上に各々配置される１つ以上の光源と、第１基板に電気的に接続され、光源に駆動電圧を印加する電源供給部と、第１基板及び第２基板の下部に下部収納容器とを含み、駆動電圧は第１基板に印加され、第１基板を介して電気的に接続された第２基板に伝達されるバックライトアセンブリ。【選択図】図３Ｂ
2008235241.tif 000002
【特許請求の範囲】
【請求項１】
第１基板と、
前記第１基板と隣接して配置された第２基板と、
前記第１基板及び前記第２基板上に各々配置された１つ以上の光源と、
前記第１基板に電気的に接続され、前記光源に駆動電圧を印加する電源供給部と、
前記第１基板及び前記第２基板の下部に下部収納容器と、
を含み、
前記駆動電圧は、前記第１基板に印加され、前記第１基板を介して電気的に接続された前記第２基板に伝達されることを特徴とするバックライトアセンブリ。
【請求項２】
前記駆動電圧は、前記光源と前記下部収納容器との間に位置した配線を介して、前記第１基板から前記第２基板に伝達されることを特徴とする請求項１に記載のバックライトアセンブリ。
【請求項３】
前記第１基板に形成された第１配線と、
前記第２基板に形成された第２配線と、
前記第１配線と前記第２配線とを電気的に接続する接続部材と、
をさらに含み、
前記駆動電圧は、前記第１配線、前記接続部材及び前記第２配線を経由して伝達されることを特徴とする請求項１に記載のバックライトアセンブリ。
【請求項４】
前記接続部材は、コネクタを含むことを特徴とする請求項３に記載のバックライトアセンブリ。
【請求項５】
前記接続部材は、前記第１及び第２基板のうち一方の上に配置されたコネクタ、及び前記コネクタと接続され、前記第１及び第２基板のうち他方と接続された接続配線を含むことを特徴とする請求項３に記載のバックライトアセンブリ。
【請求項６】
前記接続配線は、電線またはフレキシブルプリント回路基板であることを特徴とする請求項５に記載のバックライトアセンブリ。
【請求項７】
前記接続部材は、
前記第１配線と接続された第１接続配線と、
前記第２配線と接続された第２接続配線と、
前記第１及び第２接続配線を電気的に接続するコネクタと、
を含むことを特徴とする請求項３に記載のバックライトアセンブリ。
【請求項８】
前記第１及び第２接続配線は、電線またはフレキシブルプリント回路基板であることを特徴とする請求項７に記載のバックライトアセンブリ。
【請求項９】
前記接続部材は、
前記第１配線に接続される第１コネクタと、
前記第２配線に接続される第２コネクタと、
前記第１コネクタと前記第２コネクタとを電気的に接続する接続配線と、
を含むことを特徴とする請求項３に記載のバックライトアセンブリ。
【請求項１０】
前記接続配線は、電線またはフレキシブルプリント回路基板であることを特徴とする請求項９に記載のバックライトアセンブリ。
【請求項１１】
前記第１基板及び前記第２基板は、実質的に同一であることを特徴とする請求項３に記載のバックライトアセンブリ。
【請求項１２】
前記第１配線及び前記第２配線は、前記第１基板及び前記第２基板に各々印刷されて形成されることを特徴とする請求項３に記載のバックライトアセンブリ。
【請求項１３】
前記第１基板及び第２基板に各々印刷された第１配線パターン及び第２配線パターンは、実質的に同一であることを特徴とする請求項１２に記載のバックライトアセンブリ。
【請求項１４】
前記光源は、発光ダイオードであることを特徴とする請求項１に記載のバックライトアセンブリ。
【請求項１５】
前記電源供給部の機能を補助する補助電源供給部をさらに含むことを特徴とする請求項１に記載のバックライトアセンブリ。
【請求項１６】
前記補助電源供給部は、前記第１基板または前記第２基板に配置されて、前記光源と電気的に接続されることを特徴とする請求項１５に記載のバックライトアセンブリ。
【請求項１７】
１つ以上の光源が配置され、前記第１基板または前記第２基板に隣接して配置される１つ以上の追加基板をさらに含み、
前記駆動電圧は、前記第１基板または前記第２基板を経由して前記追加基板に伝達されることを特徴とする請求項１に記載のバックライトアセンブリ。
【請求項１８】
前記下部収納容器は、前記接続部材を露出させるために形成された開放部をさらに含むことを特徴とする請求項３に記載のバックライトアセンブリ。
【請求項１９】
前記開放部は、前記第１基板及び前記第２基板の境界付近に形成され、前記下部収納容器の中央部から離隔された中央下部または中央上部に形成されることを特徴とする請求項１８に記載のバックライトアセンブリ。
【請求項２０】
映像を表示する液晶パネルと、
前記液晶パネルに光を提供するバックライトアセンブリと、
を含み、
前記バックライトアセンブリは、
第１基板と、
前記第１基板と隣接して配置された第２基板と、
前記第１基板及び前記第２基板上に各々配置された１つ以上の光源と、
前記第１基板に電気的に接続され、前記光源に駆動電圧を印加する電源供給部と、
前記第１基板及び前記第２基板の下部に下部収納容器と、
を含み、
前記駆動電圧は、前記第１基板に印加され、前記第１基板を介して電気的に接続された前記第２基板に伝達されることを特徴とする液晶表示装置。
【発明の詳細な説明】
【技術分野】
【０００１】
本発明は、バックライトアセンブリ及びそれを含む液晶表示装置に関し、より詳しくは、分割形成され、電気的に接続されたＬＥＤ（ｌｉｇｈｉｔ−ｅｍｉｔｔｍｇ  ｄｉｏｄｅ）タイルを含むバックライトアセンブリ及びそれを含む液晶表示装置に関する。
【背景技術】
【０００２】
液晶表示装置（ＬＣＤ）は、現在最も広く使われているフラットパネル表示装置（ＦＰＤ）の１つであって、電極が形成されている２枚の基板と、その間に挿入されている液晶層とからなり、電極に電圧を印加して液晶層の液晶分子を再配列させることによって、透過される光量を調整して映像を表示する装置である。
【０００３】
このような液晶分子は、電界の方向及び強度によって光の透過率を変更して映像を表示するため、液晶表示装置は映像を表示するための光を必要とする。液晶表示装置に使われる光源としては、発光ダイオード（以下、ＬＥＤという）、冷陰極蛍光ランプ（以下、ＣＣＦＬという）、平板蛍光ランプ（以下、ＦＦＬという）などがある。
【０００４】
従来の液晶表示装置には主にＣＣＦＬが採用されていたが、最近ではＦＦＬまたはＬＥＤが多く使われている。この中でも消費電力量が少なくかつ輝度が高いＬＥＤが最も多く使われている。
【０００５】
一方、特許文献１を参照すれば、ＬＥＤは、基板上に配列されて液晶パネルの下部から光を照射するが、最近の液晶パネルの大型化にしたがってＬＥＤ基板も大面積に製造する必要がある。このように、ＬＥＤ基板の大型化により、ＬＥＤ基板を２つ以上のタイル状に分割し、分割したＬＥＤタイルを同一平面上に配置する方式で使うようになった。
【０００６】
しかし、このようにＬＥＤ基板を分割してタイル状で使う場合、それぞれの分割された基板に駆動電圧を印加するために、別途の電源供給部が必要になる。このため、１つの電源供給部を用いてそれぞれの分割された基板の全てに駆動電圧を印加するが、分割された基板間を簡単な方法で接続しなければならない問題がある。
【特許文献１】大韓民国特開２００６−００９９２４８号公報
【発明の開示】
【発明が解決しようとする課題】
【０００７】
そこで、本発明は、上記のような従来技術の問題を解決するするためになされたものであり、その目的は、分割形成され、電気的に接続されたＬＥＤタイルを含むバックライトアセンブリを提供し、また、分割形成され、電気的に接続されたＬＥＤタイルを含むバックライトアセンブリを含む液晶表示装置を提供することにある。
【０００８】
本発明は、以上で言及した目的に制限されず、言及していないさらなる目的は下記によって当業者に明確に理解できるものである。
【課題を解決するための手段】
【０００９】
前記目的を達成するための本発明のバックライトアセンブリは、第１基板と、第１基板と隣接して配置された第２基板と、第１基板及び第２基板上に各々配置された１つ以上の光源と、第１基板に電気的に接続され、光源に駆動電圧を印加する電源供給部と、第１基板及び第２基板の下部に下部収納容器とを含み、駆動電圧は、第１基板に印加され、第１基板を介して電気的に接続された第２基板に伝達される。
【００１０】
また、前記目的を達成するための本発明の液晶表示装置は、映像情報を表示する液晶パネルと液晶パネルに光を提供するように構成されたバックライトアセンブリとを含む。
【００１１】
その他、実施形態の具体的な事項は、後述の詳細な説明及び図面に含まれる。
【発明の効果】
【００１２】
本発明のバックライトアセンブリ及びそれを含む液晶表示装置によれば、１つの電源供給部を用いて、複数に分割されたＬＥＤタイルに駆動電圧を印加することができ、各基板間を簡単に接続することができるため、製造時間及び製造コストを低減し得る。
【発明を実施するための最良の形態】
【００１３】
本発明の利点及び特徴、そしてそれらを達成する方法は、図面とともに詳述する実施形態を参照すれば明確になる。しかし、本発明は以下に開示する実施形態に限定されず、相異なる多様な形態で実現できる。本実施形態は、本発明の開示を完全なものにし、本発明の属する技術分野における通常の知識を有する者に発明の範疇を知らせるために提供するものであって、本発明は請求項の範疇によってのみ定義される。また、明細書全体において同じ参照符号は同じ構成要素を示す。
【００１４】
空間的に相対的な用語である「下」、「下部」、「上」、「上部」などは図示のように、ある素子または構成要素と他の素子または構成要素との相関関係を容易に記述するために使われる。また、空間的に相対的な用語は図示の方向に加えて、使用時または動作時に素子の互いに異なる方向も含んで理解しなければならない。
【００１５】
以下では添付する図面を参照して本発明の実施形態を詳細に説明する。
【００１６】
図１ないし図３Ｃを参照して、本発明の第１実施形態による液晶表示装置について詳細に説明する。図１は、本発明の第１実施形態による液晶表示装置の分解斜視図であり、図２は、図１の液晶表示装置に含まれる下部収納容器の底面斜視図である。
【００１７】
図１を参照すれば、本発明の第１実施形態による液晶表示装置１は、液晶パネルアセンブリ３０、上部収納容器２０、バックライトアセンブリ１０、電源供給部４０、カバー４５を含む。
【００１８】
液晶パネルアセンブリ３０は、薄膜トランジスタ表示板３２、共通電極表示板３３及び両表示板の間に介在した液晶層（図示せず）を含む液晶パネル３１、ゲートテープキャリアパッケージ３５、データテープキャリアパッケージ３４、及び統合印刷回路基板（ｉｎｔｅｇｒａｔｅｄ  ｐｒｉｎｔｅｄ  ｃｉｒｃｕｉｔ  ｂｏａｒｄ）３６を含む。
【００１９】
液晶パネル３１は、ゲートライン（図示せず）及びデータライン（図示せず）、薄膜トランジスタアレイ、画素電極などを含む薄膜トランジスタ表示板３２と、ブラックマトリックス、共通電極などを含んで薄膜トランジスタ表示板３２に対向するように配置された共通電極表示板３３と、を含む。このような液晶パネル３１は、映像情報を表示する役割をする。
【００２０】
上部収納容器２０は、液晶表示装置１の外観を形成し、内部に液晶パネルアセンブリ３０が収納される空間が形成されている。このような上部収納容器２０の中央部には液晶パネル３１を外部に露出させる開放窓が形成されている。
【００２１】
上部収納容器２０は、中間フレーム１１０を間に挟んで下部収納容器１６０と結合される。
【００２２】
バックライトアセンブリ１０は、中間フレーム１１０、光学シート１２０、拡散板１３０、反射シート１４０、ＬＥＤタイル１００、下部収納容器１６０を含む。
【００２３】
中間フレーム１１０は、内部に、光学シート１２０、拡散板１３０、反射シート１４０、ＬＥＤタイル１００を収納し、下部収納容器１６０に固着される。このような中間フレーム１１０は、長方形状の縁に沿って形成された側壁で構成され、中央部には拡散板１３０と光学シート１２０とを通過した光が透過できるように開放窓を形成する。
【００２４】
光学シート１２０は、拡散板１３０から伝達される光を拡散し、集光する役割をするものであって、拡散板１３０の上部に配置されて中間フレーム１１０の内部に収納される。このような光学シート１２０は第１プリズムシート、第２プリズムシート、保護シートなどを含む。
【００２５】
第１及び第２プリズムシートは、拡散板１３０を通過した光を屈折させて、低い角度で入射される光を正面に集中させ、有効視野角範囲で液晶表示装置の輝度を向上させる役割をする。第１及び第２プリズムシート上に形成される保護シートは、プリズムシートの表面を保護する役割だけでなく、光の分布を均一にするために、光を拡散させる役割もする。このような光学シート１２０の構成は上記例に限定されず、液晶表示装置１の仕様によって多様に変更できる。
【００２６】
拡散板１３０は、光源、すなわちＬＥＤ１０６から照射された光を各方向に拡散させる役割をするものであって、点光源のＬＥＤ１０６の形状に沿って明るい部分として現れる輝点が液晶表示装置１の前面から見えないようにする。
【００２７】
反射シート１４０は、拡散板１３０などで反射されて下方に向かう光を液晶パネル３１方向に反射して光の効率を上げる役割をする。反射シート１４０には、ＬＥＤ１０６が貫通して露出できるようにホール（孔）１４１が形成されている。したがって、反射シート１４０をＬＥＤタイル１００の上部に位置させれば、ＬＥＤ１０６は反射シート１４０のホール１４１を通じて露出されて上部に光を照射し、拡散板１３０などで反射されて下部に向かう光は反射シート１４０により上部に反射される。このような反射シート１４０は光が反射されやすい色で塗布される。
【００２８】
ＬＥＤタイル１００は、基板上部に点光源のＬＥＤ１０６を含んで液晶パネル３１に光を供給する。具体的なＬＥＤタイル１００については後述する。
【００２９】
電源供給部４０は、外部から供給された電源を変換して、光源に駆動電圧を印加する役割をする。光源としてＬＥＤを使う場合、電源供給部４０として、例えばＤＣ／ＤＣ（直流／直流）コンバータなどを使うことができる。
【００３０】
このような電源供給部４０は、基板上にコンバータ回路などを実装して、下部収納容器１６０の後面に配置できる。
【００３１】
また、電源供給部４０を下部収納容器１６０の後面に配置した後、その上をカバー４５で覆って外部の衝撃などから保護する。このようなカバー４５には、電源供給部４０の作動時に発生する熱を効果的に放出し得るように放熱ホール（図示せず）を含む。
【００３２】
電源供給部４０は、コネクタ４６ａ，４６ｂに接続された配線４７を介して第１基板１０１と電気的に接続でき、電源供給部４０から第１基板１０１に印加される電圧及び信号は、第１基板１０１の補助電源供給部１０５ａを通じて駆動電圧に変換された後、後述する第１配線１７１及び第２配線１７２を介して第２基板１０２に伝達される。
【００３３】
下部収納容器１６０は、ＬＥＤタイル１００の下部に位置し、後述する接続部材を外部に露出させるための開放部１６５を含む。開放部１６５は、接続部材が露出できる程の大きさと形状に形成し、ＬＥＤタイル１００の分割された境界部が露出される位置に配置するのが好ましい。すなわち、左右に分割されたＬＥＤタイル１００の場合には、分割されたＬＥＤタイル１００が隣接した境界付近に開放部１６５を形成するが、下部収納容器１６０の中央部には液晶表示装置１の駆動のための各種回路が収納されるため、前記中央部から離隔された中央下部または中央上部に開放部１６５を形成するのが好ましい。
【００３４】
以下図３Ａないし図３Ｃを参照して、本発明の第１実施形態によるＬＥＤタイルについて説明する。図３Ａは、図１の液晶表示装置に含まれるＬＥＤタイルの斜視図であり、図３Ｂは、図３ＡのＬＥＤタイルの底面斜視図であり、図３Ｃは、図３ＢのＬＥＤタイルの一部分を拡大した底面斜視図である。
【００３５】
ＬＥＤタイル１００は、第１基板１０１と第２基板１０２とに分割されており、上部にＬＥＤ１０６が配置され、液晶パネル３１に光を供給する役割をする。
【００３６】
具体的に、ＬＥＤ１０６は、点光源の形状で第１基板１０１及び第２基板１０２上に一定の間隔で配置される。このようなＬＥＤ１０６は、光の集中による輝点が発生しないように所定の間隔で配置される。また、反射シート１４０を配置して光を上部に反射させることによって、光を効率的に使うようにしている。
【００３７】
第１基板１０１及び第２基板１０２の上部には多数のＬＥＤ１０６が配置され、側部には補助電源供給部１０５ａ，１０５ｂが位置する。補助電源供給部１０５ａ，１０５ｂは、電源供給部４０を補助するものであって、電源供給部４０の一部の機能を第１基板１０１または第２基板１０２上で行う。具体的に、第１基板１０１及び第２基板１０２には多数のＬＥＤ１０６が配置されており、このような多数のＬＥＤ１０６に適した駆動電圧を供給するためには、電源供給部４０と第１基板または第２基板１０２との間に多数の配線を用いる必要がある。このとき、電源供給部４０の一部機能を有する補助電源供給部１０５ａ，１０５ｂを第１基板１０１または第２基板１０２上に実装することによって、電源供給部４０と、第１基板１０１または第２基板１０２とを接続するための配線の数を減らすことができる。同様に、第１基板１０１と第２基板１０２との間を接続する配線の数も減らすことができる。
【００３８】
また、第１基板１０１は、電源供給部４０と電気的に接続されて、ＬＥＤ１０６を駆動するための駆動電圧を生成するための電圧及び信号が印加される。このような電圧及び信号は、第１配線１７１及び接続部材１５０を経由して第２基板１０２に形成された第２配線１７２に伝達される。
【００３９】
第１基板１０１上の補助電源供給部１０５ａは、このような電圧及び信号を用いて、各々のＬＥＤ１０６を駆動するための駆動電圧を生成する。このように生成された駆動電圧は、第１基板１０１上のＬＥＤ１０６にのみ供給されるのではなく、第２基板１０２にも伝達できる。
【００４０】
ただし、第１基板１０１と第２基板１０２とを接続する配線の数を減らすために、第２基板１０２上のＬＥＤ１０６を駆動するための駆動電圧は、第２基板１０２上の補助電源供給部１０５ｂによって最終的に生成するのが好ましい。
【００４１】
図３Ｂに示すように、第１基板１０１及び第２基板１０２上には、駆動電圧又は駆動電圧を生成するための電圧または信号を伝達する第１及び第２配線１７１，１７２が各々形成される。このような第１及び第２配線１７１，１７２は、印刷回路基板上に印刷されて形成されるのが好ましい。
【００４２】
接続部材１５０は、第１配線１７１と第２配線１７２とを接続する役割をするものであって、コネクタ１５１と接続配線１５５とを含む。
【００４３】
コネクタ１５１は、配線間を電気的に接続するためのものであって、メスコネクタ１５３とオスコネクタ１５２とを含む。オスコネクタ１５２は、メスコネクタ１５３に挿入されて、接続配線１５５と第２配線１７２とを電気的に接続する。このようなオスコネクタ１５２は、固定突起１６１を含んで、メスコネクタ１５３に形成された固定溝１６２に結合され、オスコネクタ１５２がメスコネクタ１５３から容易に分離されないようにする。また、メスコネクタ１５３は、第２基板１０２上の第２配線１７２と電気的に接続される。
【００４４】
オスコネクタ１５２とメスコネクタ１５３とは、互いに結合して電気的に接続できるコネクタ１５１を総称するものであって、多様な形状で形成できる。また、電気的な接続のためには、オスコネクタ１５２とメスコネクタ１５３との位置が変わることもある。
【００４５】
接続配線１５５は、一端部がオスコネクタ１５２に電気的に接続され、他端部は第１配線１７１に接続される。本発明の第１実施形態による接続配線１５５は、電線を用いることができる。このような接続配線１５５は、多様な長さで形成でき、接続配線１５５の数は印加される駆動電圧によって多様に変更できる。
【００４６】
以下では図４Ａ及び図４Ｂを参照して、本発明の第２実施形態による接続部材を含むＬＥＤタイルについて詳細に説明する。図４Ａは、本発明の第２実施形態による液晶表示装置に含まれるＬＥＤタイルの底面斜視図であり、図４Ｂは、図４ＡのＬＥＤタイルの一部分を拡大した底面斜視図である。
【００４７】
本発明の第２実施形態による接続部材２５０を含むＬＥＤタイル１００は、フレキシブルプリント回路基板で形成された接続配線２５５を含む。
【００４８】
接続配線２５５は、上述したように、オスコネクタ１５１と第１配線１７１とを電気的に接続する配線であって、複数の配線を１つのフィルム状にフレキシブルプリント回路基板で形成することができる。このように、接続配線２５５をフレキシブルプリント回路基板で形成する場合、多数の電線を簡便に接続することができる。
【００４９】
具体的に説明すれば、第１基板１０１及び第２基板１０２上には、多数のＬＥＤ１０６が配列されており、多数のＬＥＤ１０６は直流で接続されることができる。このように、多数のＬＥＤ１０６が直流で接続される場合、ＬＥＤ１０６の駆動のための高い電圧が要求される。したがって、液晶表示装置１内で使用可能な適正電圧に調整された多様な駆動電圧が必要となる。すなわち、各々のＬＥＤ１０６の列ごとに別個の駆動電圧が印加されるが、第２基板１０２上に補助電源供給部１０５ｂが含まれない場合、ＬＥＤ列の数だけ配線を接続する必要がある。このとき、フレキシブルプリント回路基板を用いれば、多数の配線を効果的に接続できるようになる。
【００５０】
以下では図５Ａ及び図５Ｂを参照して、本発明の第３実施形態による接続部材を含むＬＥＤタイルについて詳細に説明する。図５Ａは、本発明の第３実施形態による液晶表示装置に含まれるＬＥＤタイルの底面斜視図であり、図５Ｂは、図５ＡのＬＥＤタイルの一部分を拡大した底面斜視図である。
【００５１】
本発明の第３実施形態による接続部材３５０を含むＬＥＤタイル１００は、第１コネクタ３５１、第２コネクタ３５６、接続配線３５５を含む。
【００５２】
第１コネクタ３５１は、第１オスコネクタ３５２と第１メスコネクタ３５３とを含み、第１メスコネクタ３５３は、第１基板１０１上の第１配線１７１に接続される。
【００５３】
一方、第２コネクタ３５６は、第２オスコネクタ３５７と第２メスコネクタ３５８とを含み、第２メスコネクタ３５８は、第２基板１０２上の第２配線１７２に接続される。
【００５４】
また、接続配線３５５は、一端部に第１オスコネクタ３５２が接続されており、他端部には第２オスコネクタ３５７が接続されている。
【００５５】
すなわち、接続部材３５０は、両基板に配置された２つのコネクタと、２つのコネクタの間を接続配線３５５を介して電気的に接続する構造になっているものであって、第１基板１０１及び第２基板１０２と各々分離された接続配線３５５を用いて、第１基板１０１及び第２基板１０２の電気的な接続及び分離を容易にする。
【００５６】
このような第１及び第２コネクタ３５１，３５６は、上述したように、固定突起３６１，３６３及び固定溝３６２，３６４を含んでおり、使用中に容易に分離されないようにする。
【００５７】
以下では図６Ａ及び図６Ｂを参照して、本発明の第４実施形態による接続部材４５０を含むＬＥＤタイルについて詳細に説明する。図６Ａは、本発明の第４実施形態による液晶表示装置に含まれるＬＥＤタイルの底面斜視図であり、図６Ｂは、図６ＡのＬＥＤタイルの一部分を拡大した底面斜視図である。
【００５８】
本発明の第４実施形態による接続部材４５０を含むＬＥＤタイル１００は、第１基板１０１と第２基板１０２上に各々オスコネクタ４５２及びメスコネクタ４５３を形成し、第１基板１０１と第２基板１０２とを直接結合することができる。
【００５９】
オスコネクタ４５２は、第１基板１０１の第２基板１０２に対向する側部に形成され、メスコネクタ４５３は、第２基板１０２の第１基板１０１に対向する側部に形成される。このようなオスコネクタ４５２を第１配線１７１と直接接続し、メスコネクタ４５３を第２配線１７２と直接接続する。
【００６０】
第１基板１０１と第２基板１０２とをオスコネクタ４５２とメスコネクタ４５３とで直接接続すれば、第１基板１０１及び第２基板１０２の物理的な結合力を増加することができる。すなわち、このような接続部材４５０を複数形成する場合、第１基板１０１と第２基板１０２を固定するのに別途の固定手段を要さなくてもよい。
【００６１】
以下では図７Ａ及び図７Ｂを参照して、本発明の第５実施形態による接続部材５５０を含むＬＥＤタイルについて詳細に説明する。図７Ａは、本発明の第５実施形態による液晶表示装置に含まれるＬＥＤタイルの底面斜視図であり、図７Ｂは、図７ＡのＬＥＤタイルの一部分を拡大した底面斜視図である。
【００６２】
本発明の第５実施形態による接続部材５５０を含むＬＥＤタイル１００は、２つの接続配線５５６，５５７をコネクタ５５１で接続するものであって、コネクタ５５１、第１接続配線５５６、第２接続配線５５７を含む。
【００６３】
第１接続配線５５６は、一端部が第１基板１０１上の第１配線１７１に接続され、他端部はオスコネクタ５５２と接続される。また、第２接続配線５５７は、一端部が第２基板１０２の第２配線１７２に接続され、他端部がメスコネクタ５５３に接続される。
【００６４】
すなわち、第１基板１０１及び第２基板１０２に各々接続された第１接続配線５５６と第２接続配線５５７とをコネクタ５５１を用いて電気的に接続する。
【００６５】
以下では図８及び図９を参照して、本発明によるＬＥＤタイルの変形配置例について詳細に説明する。図８及び図９は、ＬＥＤタイルの変形配置例を示す平面図である。
【００６６】
本発明によるＬＥＤタイルは、３枚以上の基板を接続して使用することができる。図８及び図９を参照して説明すると、３枚の基板６０１，６０２，６０３を並べて配列し、各々の基板間を接続部材６５１，６５２を用いて接続してもよい。また、４枚の基板７０１，７０２，７０３，７０４を碁盤板状に配列して、各々の基板７０１，７０２，７０３，７０４を接続部材７５１，７５２，７５３，７５４を用いて接続してもよい。
【００６７】
このとき、上述のように、接続部材６５１，６５２，７５１，７５２，７５３，７５４の配線数を減らすために、それぞれの基板６０１，６０２，６０３，７０１，７０２，７０３，７０４上に補助電源供給装置を含んでもよい。また、ＬＥＤタイルの面積が大きくなって多数の基板が使われる場合、電源供給装置を複数個形成してもよい。
【００６８】
以上、添付する図面を参照して本発明の実施形態を説明したが、本発明の属する技術分野における通常の知識を有する者は本発明がその技術的思想や必須的な特徴を変更せずに他の具体的な形態によって実施できることを理解することができる。したがって前述した実施形態はすべての面で例示的なものであって、限定的なものではないことを理解しなければならない。
【産業上の利用可能性】
【００６９】
本発明のバックライトアセンブリ及びそれを含む液晶表示装置は、ＬＥＤパネルをタイル状に分割して形成し、必要に応じて各ＬＥＤタイルを結合して必要な形状と大きさで使用できる。このように分割されたＬＥＤタイルを使い、各ＬＥＤタイルを簡単に接続し得るコネクタを使うことによって、製造工程が容易で製造コストを低減することができる。また、大面積の液晶表示装置の製造に非常に有利で、今後、液晶表示装置の製造に広く使われ得る。
【図面の簡単な説明】
【００７０】
【図１】本発明の第１実施形態による液晶表示装置の分解斜視図である。
【図２】図１の液晶表示装置に含まれる下部収納容器の底面斜視図である。
【図３Ａ】図１の液晶表示装置に含まれるＬＥＤタイルの斜視図である。
【図３Ｂ】図３ＡのＬＥＤタイルの底面斜視図である。
【図３Ｃ】図３ＢのＬＥＤタイルの一部分を拡大した底面斜視図である。
【図４Ａ】本発明の第２実施形態による液晶表示装置に含まれるＬＥＤタイルの底面斜視図である。
【図４Ｂ】図４ＡのＬＥＤタイルの一を拡大した底面斜視図である。
【図５Ａ】本発明の第３実施形態による液晶表示装置に含まれるＬＥＤタイルの底面斜視図である。
【図５Ｂ】図５ＡのＬＥＤタイルの一部分を拡大した底面斜視図である。
【図６Ａ】本発明の第４実施形態による液晶表示装置に含まれるＬＥＤタイルの底面斜視図である。
【図６Ｂ】図６ＡのＬＥＤタイルの一部分を拡大した底面斜視図である。
【図７Ａ】本発明の第５実施形態による液晶表示装置に含まれるＬＥＤタイルの底面斜視図である。
【図７Ｂ】図７ＡのＬＥＤタイルの一部分を拡大した底面斜視図である。
【図８】ＬＥＤタイルの変形配置例を示す平面図である。
【図９】ＬＥＤタイルの変形配置例を示す平面図である。
【符号の説明】
【００７１】
１    液晶表示装置
１０    バックライトアセンブリ
２０    上部収納容器
３０    液晶パネルアセンブリ
４０    電源供給部
４５    カバー
１００    ＬＥＤタイル
１０１    第１基板
１０２    第２基板
１０５ａ、１０５ｂ    補助電源供給部
１０６    ＬＥＤ
１１０    中間フレーム
１２０    光学シート
１３０    拡散板
１４０    反射シート
１５０、２５０、３５０、４５０、５５０    接続部材
１５１、５５１    コネクタ
１５２、４５２、５５２    オスコネクタ
１５３、４５３、５５３    メスコネクタ
１５５、２５５、３５５    接続配線
１６０    下部収納容器
１６１    固定突起
１６２    固定溝
１７１    第１配線
１７２    第２配線
３５１    第１コネクタ
３５２    第１オスコネクタ
３５３    第１メスコネクタ
３５６    第２コネクタ
３５７    第２オスコネクタ
３５８    第２メスコネクタ
３６１、３６３    固定突起
３６２、３６４    固定溝
５５６    第１接続配線
５５７    第２接続配線
６０１、６０２、６０３、７０１、７０２、７０３、７０４    基板
６５１、６５２、７５１、７５２、７５３、７５４    接続部材
【図１】
2008235241.tif 000003
【図２】
2008235241.tif 000004
【図３Ａ】
2008235241.tif 000005
【図３Ｂ】
2008235241.tif 000006
【図３Ｃ】
2008235241.tif 000007
【図４Ａ】
2008235241.tif 000008
【図４Ｂ】
2008235241.tif 000009
【図５Ａ】
2008235241.tif 000010
【図５Ｂ】
2008235241.tif 000011
【図６Ａ】
2008235241.tif 000012
【図６Ｂ】
2008235241.tif 000013
【図７Ａ】
2008235241.tif 000014
【図７Ｂ】
2008235241.tif 000015
【図８】
2008235241.tif 000016
【図９】
2008235241.tif 000017